(57)【要約】【課題】外観性およびプライバシーに配慮するとともに、居住者の生活様式に合わせて有効利用が可能な中空柱を備えた建物を提供することを目的とする。【解決手段】バルコニー２の自重を支えるとともに一面側が開放されて凹部空間１ａを有する断面コ字状の中空柱１が、建物躯体との間に所定の間隔をあけて、かつ、前記バルコニー２の先端に沿って複数立設されていることを特徴とする中空柱１を備えた建物Ａ。【選択図】図１
2006316419.tif 000002
【特許請求の範囲】
【請求項１】
バルコニーの自重を支えるとともに一面側が開放されて凹部空間を有する断面コ字状の中空柱が、建物躯体との間に所定の間隔をあけて、かつ、前記バルコニーの先端に沿って複数立設されていることを特徴とする中空柱を備えた建物。
【請求項２】
請求項１に記載の中空柱を備えた建物において、
前記建物躯体の壁と、前記中空柱の開放された一面とが対向して設けられていることを特徴とする中空柱を備えた建物。
【請求項３】
請求項１または２に記載の中空柱を備えた建物において、
前記中空柱と前記建物躯体との間に壁が設けられていることを特徴とする中空柱を備えた建物。
【請求項４】
請求項１〜３のいずれか一項に記載の中空柱を備えた建物において、
前記中空柱の開放された一面に、該開放された一面を覆う蓋板が設けられていることを特徴とする中空柱を備えた建物。
【請求項５】
請求項１〜４のいずれか一項に記載の中空柱を備えた建物において、
前記バルコニーの下方に床部が設けられており、この床部の床面が、建物内に設けられた部屋の床面とほぼ面一となっており、前記建物の外壁に開口部が前記床部側に面して設けられていることを特徴とする中空柱を備えた建物。
【発明の詳細な説明】
【技術分野】
【０００１】
本発明は、居住者の生活様式に合わせて様々な機能を付与可能な中空柱を備えた建物に関する。
【背景技術】
【０００２】
従来より、建物躯体から外部に突出した１階屋根または小屋根の軒先側を、地面に設けられたベースコンクリートの上に起設したポーチ柱により支持してポーチを構成するようにした技術が知られている（例えば、特許文献１）。
【０００３】
そして、前記ポーチ柱を、一面側が開放された凹部空間を有する断面コ字状パネルにより形成し、該ポーチ柱を基礎上に立ててから、そのポーチ柱の内部空間にポーチ屋根からの排水のための排水管を配管していた。
【特許文献１】特開平０９−０８８１７９号公報
【発明の開示】
【発明が解決しようとする課題】
【０００４】
ところで、前記ポーチ柱は一面側が開放された凹部空間を有する構造となっているので、該凹部空間を排水管の配管のためだけでなく、例えば、収納としての利用を始め、外部用流しの設置や、居住者が車椅子生活となった場合の上階への昇降リフトの設置等、居住者の生活様式に合わせて様々な機能を付与したいという要望があった。そして、このような要望を取り入れることにより前記凹部空間を有効利用でき、延いては、建物の居住性を格段に向上させ得るような技術の開発が望まれていた。
【０００５】
ところが、上述のようにポーチ柱は、玄関のポーチに設けられるものであるため、例えば、靴や傘、清掃用具等、玄関に収納するのに相応しい物品が収納される。さらに、前記ポーチ柱（以下、中空柱）は、玄関のポーチのように目立つ場所に起設されているため、居住者の生活様式に合わせて様々な機能を付与するにしても、外観性やプライバシーの面から好ましくなかった。
【０００６】
本発明の課題は、外観性およびプライバシーに配慮するとともに、居住者の生活様式に合わせて有効利用が可能な中空柱を備えた建物を提供することを目的とする。
【課題を解決するための手段】
【０００７】
請求項１に記載の発明は、例えば図１に示すように、中空柱１を備えた建物Ａであって、バルコニー２の自重を支えるとともに一面側が開放されて凹部空間１ａを有する断面コ字状の中空柱１が、建物躯体との間に所定の間隔をあけて、かつ、前記バルコニー２の先端に沿って複数立設されていることを特徴とする。
【０００８】
請求項１に記載の発明によれば、複数の中空柱１の凹部空間１ａをそれぞれ収納スペースとして利用することができる。また、従来の玄関付近での設置に比して、より目立ち難いバルコニー２の下方に前記複数の中空柱１を立設することができるので、外観性およびプライバシーの面で優れ、好ましい。
さらに、前記複数の中空柱１が、建物躯体との間に所定の間隔をあけて、かつ、前記バルコニー２の先端に沿って立設されているので、所定の広さの空間を前記バルコニー２の下方に形成することが可能となり、該空間に対して居住者の生活様式に合わせた様々な機能を付与して有効利用することができる。
そして、以上のことから、前記中空柱１およびその付近の空間に、居住者の生活様式に合わせた様々な機能を容易に付与することができるので、居住性が格段に向上して住み心地が良い。
【０００９】
請求項２に記載の発明は、例えば図１に示すように、請求項１に記載の中空柱１を備えた建物Ａにおいて、
前記建物躯体の壁Ａ１と、前記中空柱１の開放された一面とが対向して設けられていることを特徴とする。
【００１０】
請求項２に記載の発明によれば、前記建物躯体の壁Ａ１と、前記中空柱１の開放された一面とが対向して設けられているので、隣接地等の視線から前記中空柱１の内部を遮蔽することができる。したがって、前記中空柱１付近の外観性を向上することができるとともにプライバシーを保護することが可能となる。
その上、前記建物躯体の壁Ａ１と、前記中空柱１の開放された一面との間に、所定の広さの空間を形成することができるので、該空間に対して居住者の生活様式に合わせた様々な機能を付与して有効利用することが可能となる。
【００１１】
請求項３に記載の発明は、例えば図２に示すように、請求項１または２に記載の中空柱１を備えた建物Ａにおいて、
前記中空柱１と前記建物躯体との間に壁５が設けられていることを特徴とする。
【００１２】
請求項３に記載の発明によれば、前記中空柱１と前記建物躯体との間に壁５が設けられているので、前記中空柱１の凹部空間１ａに収納スペースを形成することができるとともに、前記凹部空間１ａの内部の状況を隣接地等の視線から遮ることが可能となる。したがって、前記中空柱１付近の外観性を向上することができるとともにプライバシーを保護することができ、しかも、前記凹部空間１ａを収納スペースとして有効利用することが可能となる。
【００１３】
請求項４に記載の発明は、例えば図３（ａ）、（ｂ）に示すように、請求項１〜３のいずれか一項に記載の中空柱１を備えた建物Ａにおいて、
前記中空柱１の開放された一面に、該開放された一面を覆う蓋板３ａ、３ｂが設けられていることを特徴とする。
【００１４】
請求項４に記載の発明によれば、前記蓋板３ａ、３ｂによって前記中空柱１の開放された一面を覆うので、前記中空柱１の凹部空間１ａの遮蔽が可能となる。すなわち、前記凹部空間１ａを収納スペースとして用いた場合や、前記凹部空間１ａを排水管の配管のために用いた場合等、この凹部空間１ａの内部を隠すことができるので、外観性を向上することができるとともにプライバシーを保護することができる。
【００１５】
請求項５に記載の発明は、例えば図１に示すように、請求項１〜４のいずれか一項に記載の中空柱１を備えた建物Ａにおいて、
前記バルコニーの下方に床部２ａが設けられており、この床部２ａの床面が、建物Ａ内に設けられた部屋Ａ３、Ａ４、Ａ５の床面とほぼ面一となっており、前記建物Ａの外壁に開口部Ａ２が前記床部２ａ側に面して設けられていることを特徴とする。
【００１６】
請求項５に記載の発明によれば、前記床部２ａ側に面する開口部Ａ２が設けられた部屋Ａ３、Ａ４、Ａ５を建物Ａ内に設けることによって、前記床部２ａを通って部屋Ａ３、Ａ４、Ａ５どうし間を行き来することができるので、物品の搬出入をするにも使い勝手が良く、しかも、前記床部２ａが生活における一つの動線ともなるので居住性が格段に向上する。また、前記床部２ａの床面と部屋Ａ３、Ａ４、Ａ５の床面とがほぼ面一となっていることによって、前記床部２ａを通って部屋Ａ３、Ａ４、Ａ５どうし間を行き来する際の段差が無くなり、建物Ａのバリアフリー化を図ることが可能となる。
【発明の効果】
【００１７】
本発明によれば、従来の玄関付近に比して、より目立ち難いバルコニーの下方に前記複数の中空柱を立設することができるとともに、建物躯体の壁と、前記中空柱の開放された一面とが対向して設けられているので、隣接地等の視線から前記中空柱の内部を遮蔽することができ、外観性およびプライバシーの面で優れる。
また、一面側が開放された複数の中空柱の凹部空間をそれぞれ収納スペースとして利用することができる。
さらに、前記複数の中空柱が、建物躯体との間に所定の間隔をあけて、かつ、前記バルコニーの先端に沿って立設されているので、所定の広さの空間を前記バルコニーの下方に形成することが可能となり、該空間に対して居住者の生活様式に合わせた様々な機能を付与して有効利用することができる。
以上のことから、前記中空柱およびその付近の空間に、居住者の生活様式に合わせた様々な機能を容易に付与することができるので、居住性が格段に向上して住み心地が良い。
【発明を実施するための最良の形態】
【００１８】
以下、図面を参照して本発明に係る中空柱１を備えた建物Ａの実施の形態について説明する。
【００１９】
本実施の形態の中空柱１を備えた建物Ａは、図１に示すように、バルコニー２の自重を支えるとともに一面側が開放されて凹部空間１ａを有する断面コ字状の中空柱１が、建物躯体との間に所定の間隔をあけて、かつ、前記バルコニー２の先端に沿って複数立設されて構成されている。
【００２０】
前記建物Ａは、壁や床、屋根といった建物の構成要素を予め工場にてパネル化しておき、施工現場でこれらのパネルを組み立てて構築するパネル工法で構築されるが、従来の軸組工法や壁式工法の木造、鉄骨造、鉄筋コンクリート造等の建物にも適用することができる。
【００２１】
前記中空柱１は、一面側が開放されて凹部空間１ａを有し、断面コ字状に形成されている。また、図示はしないが、前記中空柱１の表面には、前記建物躯体の壁Ａ１と同様にサイディング材が施されており、見映えが良く好ましい。さらに、前記中空柱１の凹部空間１ａには、雨水等に対する防水シートやサイディング材が取り付けられている。
【００２２】
このような中空柱１は、建物躯体との間に所定の間隔をあけて、かつ、前記バルコニー２の先端に沿って複数立設されているとともに、前記建物躯体の壁Ａ１と、前記中空柱１の開放された一面とが対向して設けられている。
すなわち、隣接地等の視線から前記中空柱１の内部を遮蔽することができるので、前記中空柱１付近の外観性を向上することができるとともにプライバシーを保護することが可能となる。その上、前記建物躯体の壁Ａ１と、前記中空柱１の開放された一面との間に、所定の広さの空間を形成することができるので、該空間に対して居住者の生活様式に合わせた様々な機能を付与して有効利用することが可能となっている。
【００２３】
一方、図３（ａ）に示すように、前記中空柱１の開放された一面に、該開放された一面を覆う蓋板３ａが設けられており、前記凹部空間１ａを収納スペースとして用いた場合や、前記凹部空間１ａを排水管の配管のために用いた場合等、この凹部空間１ａの内部を隠すことができるので、外観性を向上することができるとともにプライバシーを保護することができるようになっている。
また、図３（ｂ）に示すように、前記中空柱１の開放された一面に、該開放された一面の下半分を覆う蓋板３ｂを取り付けても良い。この時、上半分には収納棚４を取り付けることにより、前記凹部空間１ａを有効利用することができるようになっている。
【００２４】
なお、図示はしないが、前記開放された一面を覆う蓋板３ａ、３ｂに、蝶番や閉鎖錠等を取り付けて閉鎖可能に構成し、扉として構成することも可能である。
【００２５】
前記バルコニー２は、前記建物Ａの上階部分において室外に張り出すようにして設けられており、下方に前記複数の中空柱１が立設されて支持されている。
また、前記バルコニーの下方に床部２ａが設けられており、この床部２ａの床面が、建物Ａ内に設けられた部屋Ａ３、Ａ４、Ａ５の床面とほぼ面一となっており、前記建物Ａの外壁に開口部Ａ２が前記床部２ａ側に面して設けられている。このような床部２ａを設けることによって、前記床部２ａを通って部屋Ａ３、Ａ４、Ａ５どうし間を行き来することができるので、物品の搬出入をするにも使い勝手が良く、しかも、前記床部２ａが生活における一つの動線ともなるので居住性が格段に向上する。また、前記床部２ａの床面と部屋Ａ３、Ａ４、Ａ５の床面とがほぼ面一となっていることによって、前記床部２ａを通って部屋Ａ３、Ａ４、Ａ５どうし間を行き来する際の段差が無くなり、建物Ａのバリアフリー化を図ることが可能となる。
【００２６】
以上のような中空柱１を備えた建物Ａは、上述のように、前記凹部空間１ａを収納スペースとして利用するとともに、前記建物躯体の壁Ａ１と、前記中空柱１の開放された一面との間に、所定の広さの空間を形成することによって、居住者の生活様式に合わせた様々な機能を付与して有効利用するようにしている。
以下、図面を参照して、居住者の生活様式に合わせた様々な機能を付与した中空柱１およびその付近の利用方法を詳細に説明する。
【００２７】
すなわち、図２に示すように、前記床部２ａの中央位置に立設された中空柱１と前記建物躯体との間に、前記床部２ａを左右に二分するようにして壁５を設け、該壁５に対して棚板５ａを取り付けることで、前記中空柱１と建物躯体の間を収納スペースとして有効利用することができるようになっている。これによって、前記凹部空間１ａの内部の状況を隣接地等の視線から遮ることが可能となり、前記中空柱１付近の外観性を向上することができるとともにプライバシーを保護することができる。
また、建物Ａのコーナー位置に立設された中空柱１の一方の端部と建物躯体との間に壁６ａを設け、さらに、前記中空柱１の凹部空間１ａには、外部用流し６を設置している。このように外部用流し６を設けることで、庭仕事や庭でのバーベキューの際などに便利である。
【００２８】
さらに、他の例として、図４に示すように、建物Ａのコーナー位置に立設された中空柱１に動物用スペース７を設けている。また、図示はしないが、この動物用スペース７を壁や屋根等で囲むことで、動物用の小屋を形成することも可能となるので、新たに動物用の小屋を作成したり、小屋を置くための場所を確保したりする必要がない。
一方、前記床部２ａの中央位置に立設された中空柱１と、建物躯体に隣接する中空柱１との間の所定の高さ位置に物干し竿８を設け、洗濯物を干すことができるようにしている。また、前記建物躯体に隣接する中空柱１の凹部空間１ａには収納棚８ａが取り付けられて、洗濯用の道具を収納できるようになっている。
【００２９】
次に、図５に示すように、建物Ａのコーナー位置に立設された中空柱１には、上階への昇降リフト９を設置している。すなわち、居住者が高齢になった時や車椅子生活となった時、階段を自力で登ることができない場合に、前記昇降リフト９が設けられるようになっている。また、前記各中空柱１に、前記床部２ａと平行に手摺９ａを取り付けており、歩行の補助やリハビリ等にも使用できるようになっている。
なお、図示はしないが、前記床部２ａと建物Ａ内の各部屋Ａ３、Ａ４、Ａ５とを行き来するための開口部Ａ２付近の床をスロープ等で形成することによって、建物Ａのバリアフリー化を図ることができるので好ましい。
【００３０】
一方、図６に示すように、前記各中空柱１間に、窓等の開口部を備えた壁１０を設けることによって、前記バルコニー２の下方を建物Ａ内部の土間１１として構成することができるようになっている。すなわち、このような土間１１は、建物Ａ内部の各部屋Ａ３、Ａ４、Ａ５を結び付ける廊下空間であるとともに、作業空間としても利用できるようになっている。
なお、このように前記中空柱１を建物Ａ内部の要素として立設しても、建物Ａ外部と同様に、居住者の生活様式に合わせた様々な機能を付与して有効利用することができるので、居住性が格段に向上して住み心地が良いことは言うまでもない。
【００３１】
以上のような中空柱１およびその付近の利用方法によれば、居住者の生活様式に合わせた様々な機能を付与して有効利用することができるので、居住性が格段に向上して住み心地の良い建物Ａを得ることが可能となる。なお、以上に挙げた利用方法だけに限らず、本発明の趣旨を逸脱しない範囲で適宜変更可能であることは言うまでもない。
【００３２】
本実施の形態によれば、従来の玄関付近に比して、より目立ち難いバルコニー２の下方に前記複数の中空柱１を立設することができるとともに、建物躯体の壁Ａ１と、前記中空柱１の開放された一面とが対向して設けられているので、隣接地等の視線から前記中空柱１の内部を遮蔽することができ、外観性およびプライバシーの面で優れる。
また、一面側が開放された複数の中空柱１の凹部空間１ａをそれぞれ収納スペースとして利用することができる。
さらに、前記複数の中空柱１が、建物躯体との間に所定の間隔をあけて、かつ、前記バルコニー２の先端に沿って立設されているので、所定の広さの空間を前記バルコニー２の下方に形成することが可能となり、該空間に対して居住者の生活様式に合わせた様々な機能を付与して有効利用することができる。
そして、以上のことから、前記中空柱１およびその付近の空間に、居住者の生活様式に合わせた様々な機能を容易に付与することができるので、居住性が格段に向上して住み心地が良い。
【図面の簡単な説明】
【００３３】
【図１】中空柱を備えた建物の１階部分を示す平面図である。
【図２】中空柱の使用例を示す部分拡大図である。
【図３】中空柱を示し、（ａ）は開放面を蓋板によって覆ったことを示す斜視図であり、（ｂ）は開放面の下半分を蓋板によって覆ったことを示す斜視図である。
【図４】中空柱の他の使用例を示す部分拡大図である。
【図５】中空柱の他の使用例を示す部分拡大図である。
【図６】中空柱の他の使用例を示す部分拡大図である。
【符号の説明】
【００３４】
Ａ  建物
１  中空柱
１ａ  凹部空間
２  バルコニー
２ａ  床部
【図１】
2006316419.tif 000003
【図２】
2006316419.tif 000004
【図３】
2006316419.tif 000005
【図４】
2006316419.tif 000006
【図５】
2006316419.tif 000007
【図６】
2006316419.tif 000008